(57)【特許請求の範囲】
【請求項１】
ユーザ装置であって、
フィードバックユニットを含み、
前記フィードバックユニットは、アンテナアレーの水平及び垂直方向においてともに１つ又は１つ以上のデータ流の伝送をサポートする時に、基地局に関連情報をフィードバックするために用いられ、前記関連情報は、垂直方向においてサポートするデータ流の数量、水平方向においてサポートするデータ流の数量、及び、ユーザ装置がサポートするデータ流の総数量のうちの任意の２つ又は２つ以上を含み；或いは、
前記フィードバックユニットは、アンテナアレーの水平及び垂直方向においてともに１つ又は１つ以上のデータ流の伝送がサポートされ、且つ垂直方向においてサポートするデータ流の数量が定値である時に、基地局に関連情報をフィードバックするために用いられ、前記関連情報は、水平方向においてサポートするデータ流の数量、及び、ユーザ装置がサポートするデータ流の総数量のうちの任意の１つを含み；或いは、
前記フィードバックユニットは、アンテナアレーの水平及び垂直方向においてともに１つ又は１つ以上のデータ流の伝送がサポートされ、且つ水平方向においてサポートするデータ流の流量が定値である時に、基地局に関連情報をフィードバックするために用いられ、前記関連情報は、垂直方向においてサポートするデータ流の数量、及び、ユーザ装置がサポートするデータ流の総数量のうちの任意の１つを含む、ユーザ装置。
【請求項２】
基地局であって、
第一受信ユニットを含み、
前記第一受信ユニットは、ユーザ装置によりフィードバックされた関連情報を受信するために用いられ、前記関連情報は、垂直方向においてサポートするデータ流の数量、水平方向においてサポートするデータ流の数量、及び、ユーザ装置がサポートするデータ流の総数量のうちの任意の２つ又は２つ以上を含み；或いは、
前記第一受信ユニットは、垂直方向においてサポートするデータ流の数量が定値である時に、ユーザ装置によりフィードバックされた関連情報を受信するために用いられ、前記関連情報は、水平方向においてサポートするデータ流の数量、及び、ユーザ装置がサポートするデータ流の総数量のうちの任意の１つを含み；或いは、
前記第一受信ユニットは、水平方向においてサポートするデータ流の数量が定値である時に、ユーザ装置によりフィードバックされた関連情報を受信するために用いられ、前記関連情報は、垂直方向においてサポートするデータ流の数量、及び、ユーザ装置がサポートするデータ流の総数量のうちの任意の１つを含む、基地局。
【請求項３】
請求項２に記載の基地局であって、
第一処理ユニットを更に含み、
前記第一処理ユニットは、前記関連情報に基づいて、又は、前記関連情報及び予め構成された情報に基づいて、水平及び垂直方向のプリコーディング行列を確定するために用いられる、基地局。
【請求項４】
請求項３に記載の基地局であって、
前記第一処理ユニットは、第一確定ユニット及び第二確定ユニットを含み、
前記第一確定ユニットは、前記関連情報に基づいて、又は、前記関連情報及び予め構成された情報に基づいて、垂直及び水平方向のデータ流の数量を確定するために用いられ、
前記第二確定ユニットは、前記垂直及び水平方向のデータ流の数量、及び、垂直及び水平方向のプリコーディング行列指示に基づいて、所定の垂直方向に対応するプリコーディングコードブック、及び、水平方向に対応するプリコーディングコードブックのうちから、垂直方向のプリコーディング行列及び水平方向のプリコーディング行列をそれぞれ選出するために用いられる、基地局。
【請求項５】
請求項３に記載の基地局であって、
複合プリコーディング行列を確定するために用いられ、且つ第三確定ユニット及び第四確定ユニットを含む第二処理ユニットを更に含み、
前記第三確定ユニットは、前記垂直方向のプリコーディング行列及び水平方向のプリコーディング行列を用いて、初期の複合プリコーディング行列を得るために用いられ、前記初期の複合プリコーディング行列は、所定数量の直交する列ベクトルを有し、前記所定数量は、垂直及び水平方向のデータ流の数量の乗積であり、
前記第四確定ユニットは、前記ユーザ装置がサポートするデータ流の総数量が、垂直及び水平方向においてサポートするデータ流の数量の乗積以上である時に、前記初期の複合プリコーディング行列を最終の複合プリコーディング行列とするために用いられ；前記ユーザ装置がサポートするデータ流の総数量が、垂直及び水平方向においてサポートするデータ流の数量の乗積よりも小さい時に、前記基地局が、前記所定数量の直交する列ベクトルのうちの一定数量の直交する列ベクトルを捨て、残りの直交する列ベクトルを最終の複合プリコーディング行列とするために用いられ、前記一定数量は、ユーザ装置がサポートするデータ流の総数量を、垂直及び水平方向でサポートするデータ流の数量の乗積から引いたものである、基地局。
【発明の詳細な説明】
【技術分野】
【０００１】
本発明は通信分野に関し、特に、情報フィードバック方法、コードブック確定方法、ユーザ装置及び基地局に関する。
【背景技術】
【０００２】
MIMO（multiple-input  and  multiple-output）技術は、LTE-Advancedシステムの重要な物理層技術の１つであり、空間ダイバーシティ利得、空間多重化利得、及びアレー利得を提供するために用いられる。3GPP  RAN  WG1のLTE  リリース11及び以前の技術では、MIMO技術は、水平に配置される１次元（1D）線形アレーを採用し、水平面上で適応能力を具備するものであり、即ち、２次元（2D）MIMO技術であり。
【０００３】
リリース12の研究では、2Dの平面アレーが導入されており、それは、有源アンテナシステム（AAS（適応アンテナシステム））に関する技術とともに、水平の次元及び仰角の次元で適応制御を提供することで、システムパフォーマンスをより良く向上させることができ、即ち、3D  MIMO技術である。
【０００４】
図1は、クロスポーラリゼーション（cross  polarization）２次元平面アレー構造を示す図であり、図2は、均一線形２次元平面アレー構造を示す図である。
【０００５】
図1では、垂直方向上で各列にM個のクロスポーラリゼーションアンテナ対が配置され、同じポーラリゼーション方向のアンテナの間隔がdVであり、水平方向上でトータルでN列のクロスポーラリゼーションアンテナ対が配置され、同じポーラリゼーション方向のアンテナの間隔はdHである。dV及びdHの典型値は、0.5λ、0.8λ等である。
【０００６】
図2では、垂直方向上で各列にM個の同じポーラリゼーション方向のアンテナ（例えば、図2中の垂直なポーラリゼーション方向のアンテナ）が配置され、水平方向上でトータルでN列が配置され、また、アンテナの垂直間隔及び水平間隔はそれぞれdV及びdHである。
【０００７】
なお、上述の背景技術についての紹介は、本発明の技術案を明確且つ完全に説明し、当業者がそれを理解しやすいためのものである。これらの案は、本発明の背景技術の部分に記述されているため、当業者にとって周知であると解釈すべきではない。
【発明の概要】
【発明が解決しようとする課題】
【０００８】
図1及び図2に示す上述の２種類の配置では、水平方向のアンテナのポート数はLTEの以前のリリースのアンテナのポート数と同じであっても良く、例えば、1、2、4、8等である。垂直方向の複数の物理アンテナ（対）は、１つの物理アンテナポートと仮想化することで、参照信号を送信するアンテナのポート数を減少させることができる。垂直方向のアンテナのポート数が1である時に、2D平面アレーは、従来の1Dアレーに退化し、3D  MIMO技術もそれに対応して2D  MIMO技術に退化する。垂直方向のアンテナのポート数が1よりも大きい時に、3D  MIMO技術を利用して水平面及び垂直面上で送信信号を調節することができるが、アンテナの総ポート数は、以前のリリースのポート数よりも遥かに大きいため、直接的にプリコーディングコードブックのサイズの増大を引き起こし、シグナリングオーバーヘッドを著しく増加させてしまう。
【０００９】
よって、本発明の実施例では、情報フィードバック方法、コードブック確定方法、ユーザ装置及び基地局が提供され、水平及び垂直方向で独立してCSIフィードバックを行うことで、単一フィードバックのシグナリングオーバーヘッドを軽減し、プリコーディングコードブックのサイズを小さくすることができ、また、LTEの以前のリリースにおける水平方向のチャネル状態情報（CSI）のフィードバック方法を再利用することもできる。
【課題を解決するための手段】
【００１０】
本発明の実施例の第一側面によれば、情報フィードバック方法が提供され、該方法は、
アレーアンテナ（アンテナアレー（antenna  array）ともいう）の水平及び垂直方向にともに１つ又は１つ以上のデータ流の伝送をサポートする時に、ユーザ装置が基地局に関連情報をフィードバックし、そのうち、該関連情報は、垂直方向でサポートするデータ流の数量、水平方向でサポートするデータ流の数量、及びユーザ装置がサポートするデータ流の総数量のうちの２つ又は２つ以上を含み；又は、
アレーアンテナの水平及び垂直方向で１つ又は１つ以上のデータ流の伝送がサポートされ、且つ垂直方向でサポートするデータ流の数量が定値である時に、ユーザ装置が基地局に関連情報をフィードバックし、該関連情報は、水平方向でサポートするデータ流の数量及びユーザ装置がサポートするデータ流の総数量のうちの任意の１つを含み；又は、
アレーアンテナの水平及び垂直方向で１つ又は１つ以上のデータ流の伝送がサポートされ、且つ水平方向でサポートするデータ流の数量が定値である時に、ユーザ装置が基地局に関連情報をフィードバックし、該関連情報は、垂直方向でサポートするデータ流の数量及びユーザ装置がサポートするデータ流の総数量のうちの任意の１つを含む、ことを含む。
【００１１】
本発明の実施例の第二側面によれば、情報フィードバック方法が提供され、該方法は、
基地局がユーザ装置によりフィードバックされた関連情報を受信し、そのうち、該関連情報は、垂直方向でサポートするデータ流の数量、水平方向でサポートするデータ流の数量、及びユーザ装置がサポートするデータ流の総数量のうちの任意の２つ又は２つ以上を含み；又は、
基地局が、垂直方向でサポートするデータ流の数量が定値である時に、ユーザ装置によりフィードバックされた関連情報を受信し、該関連情報は、水平方向でサポートするデータ流の数量及びユーザ装置がサポートするデータ流の総数量のうちの任意の１つを含み；又は、
基地局が、水平方向でサポートするデータ流の数量が定値である時に、ユーザ装置によりフィードバックされた関連情報を受信し、該関連情報は、垂直方向でサポートするデータ流の数量及びユーザ装置がサポートするデータ流の総数量のうちの任意の１つを含む、ことを含む。
【００１２】
本発明の実施例の第三側面によれば、ユーザ装置が提供され、該ユーザ装置は、
フィードバックユニットを含み、
前記フィードバックユニットは、アレーアンテナの水平及び垂直方向にともに１つ又は１つ以上のデータ流の伝送をサポートする時に、該ユーザ装置が基地局に関連情報をフィードバックするために用いられ、そのうち、該関連情報は、垂直方向でサポートするデータ流の数量、水平方向でサポートするデータ流の数量、及びユーザ装置がサポートするデータ流の総数量のうちの任意の２つ又は２つ以上を含み；又は、
前記フィードバックユニットは、アレーアンテナの水平及び垂直方向で１つ又は１つ以上のデータ流の伝送がサポートされ、且つ垂直方向でサポートするデータ流の数量が定値である時に、基地局に関連情報をフィードバックするために用いられ、該関連情報は、水平方向でサポートするデータ流の数量及びユーザ装置がサポートするデータ流の総数量のうちの任意の１つを含み；又は、
前記フィードバックユニットは、アレーアンテナの水平及び垂直方向で１つ又は１つ以上のデータ流の伝送がサポートされ、且つ水平方向でサポートするデータ流の流量が定値である時に、基地局に関連情報をフィードバックするために用いられ、該関連情報は、垂直方向でサポートするデータ流の数量及びユーザ装置がサポートするデータ流の総数量のうちの任意の１つを含む。
【００１３】
本発明の実施例の第四側面によれば、基地局が提供され、該基地局は、
第一受信ユニットを含み、
前記第一受信ユニットは、ユーザ装置によりフィードバックされた関連情報を受信するために用いられ、そのうち、該関連情報は、垂直方向でサポートするデータ流の数量、水平方向でサポートするデータ流の数量、及びユーザ装置がサポートするデータ流の総数量のうちの任意の２つ又は２つ以上を含み；又は、
前記第一受信ユニットは、垂直方向でサポートするデータ流の数量が定値である時に、ユーザ装置によりフィードバックされた関連情報を受信するために用いられ、該関連情報は、水平方向でサポートするデータ流の数量及びユーザ装置がサポートするデータ流の総数量のうちの任意の１つを含み；又は、
前記第一受信ユニットは、水平方向でサポートするデータ流の数量が定値である時に、ユーザ装置によりフィードバックされた関連情報を受信するために用いられ、該関連情報は、垂直方向でサポートするデータ流の数量及びユーザ装置がサポートするデータ流の総数量のうちの任意の１つを含む。
【００１４】
本発明の実施例の第五側面によれば、コードブック確定方法が提供され、アレーアンテナの水平及び垂直方向についてともにダブルコードブックの構造を採用し、該方法は、
水平及び垂直方向の長期及び／又は広帯域コードワードの組み合わせを、又は、水平方向の長期及び／又は広帯域コードワード及び垂直方向の長期及び／又は広帯域コードワードを、長期及び／又は広帯域プリコーディング行列として、長期及び／又は広帯域コードブックを確定し、水平及び垂直方向の瞬時及び／又は狭帯域コードワードの組み合わせを、瞬時及び／又は狭帯域プリコーディング行列として、瞬時及び／又は狭帯域コードブックを確定し；又は、
水平方向の長期及び／又は広帯域コードワード及び垂直方向の長期及び／又は広帯域コードワードを長期及び／又は広帯域プリコーディング行列として、長期及び／又は広帯域コードブックを確定し、水平及び垂直方向の瞬時及び／又は狭帯域コードワードの組み合わせを瞬時及び／又は狭帯域プリコーディング行列として、瞬時及び／又は狭帯域コードブックを確定することを含む。
【００１５】
本発明の実施例の第六側面によれば、コードブック確定方法が提供され、アレーアンテナの水平方向についてダブルコードブックの構造を採用し、垂直方向についてシングルコードブックの構造を採用し、該方法は、
水平方向の長期及び／又は広帯域コードワード及び垂直方向のプリコーディングコードワードの組み合わせを、又は、水平方向の長期及び／又は広帯域コードワードを、長期及び／又は広帯域プリコーディング行列として、長期及び／又は広帯域コードブックを確定し、水平方向の瞬時及び／又は狭帯域コードワード及び垂直方向のプリコーディングコードワードの組み合わせを、瞬時及び／又は狭帯域プリコーディング行列として、瞬時及び／又は狭帯域コードブックを確定し；又は、
水平方向の長期及び／又は広帯域コードワードを、長期及び／又は広帯域プリコーディング行列として、長期及び／又は広帯域コードブックを確定し、水平方向の瞬時及び／又は狭帯域コードワード及び垂直方向のプリコーディングコードワードの組み合わせを、瞬時及び／又は狭帯域プリコーディング行列として、瞬時及び／又は狭帯域コードブックを確定することを含む。
【００１６】
本発明の実施例の第七側面によれば、コードブック確定装置が提供され、該装置は、
第一コードブック確定ユニットを含み、前記第一確定ユニットは、
水平及び垂直方向の長期及び／又は広帯域コードワードの組み合わせを、又は、水平方向の長期及び／又は広帯域コードワード及び垂直方向の長期及び／又は広帯域コードワードを、長期及び／又は広帯域プリコーディング行列として、長期及び／又は広帯域コードブックを確定し、水平及び垂直方向の瞬時及び／又は狭帯域コードワードの組み合わせを、瞬時及び／又は狭帯域プリコーディング行列として、瞬時及び／又は狭帯域コードブックを確定し；又は、
水平方向の長期及び／又は広帯域コードワード及び垂直方向の長期及び／又は広帯域コードワードを、長期及び／又は広帯域プリコーディング行列として、長期及び／又は広帯域コードブックを確定し、水平及び垂直方向の瞬時及び／又は狭帯域コードワードの組み合わせを、瞬時及び／又は狭帯域プリコーディング行列として、瞬時及び／又は狭帯域コードブックを確定するために用いられる。
【００１７】
本発明の実施例の第八側面によれば、コードブック確定装置が提供され、該装置は、
第二コードブック確定ユニットを含み、前記第二コードブック確定ユニットは、
水平方向の長期及び／又は広帯域コードワード及び垂直方向のプリコーディングコードワードの組み合わせを、又は、水平方向の長期及び／又は広帯域コードワードを、長期及び／又は広帯域プリコーディング行列として、長期及び／又は広帯域コードブックを確定し、水平方向の瞬時及び／又は狭帯域コードワード及び垂直方向のプリコーディングコードワードの組み合わせを、瞬時及び／又は狭帯域プリコーディング行列として、瞬時及び／又は狭帯域コードブックを確定し；又は、
水平方向の長期及び／又は広帯域コードワードを、長期及び／又は広帯域プリコーディング行列として、長期及び／又は広帯域コードブックを確定し、水平方向の瞬時及び／又は狭帯域コードワード及び垂直方向のプリコーディングコードワードの組み合わせを、瞬時及び／又は狭帯域プリコーディング行列として、瞬時及び／又は狭帯域コードブックを確定するために用いられる。
【００１８】
本発明の実施例の第九側面によれば、情報フィードバック方法が提供され、該方法は、
ユーザ装置が非周期性フィードバックを行う時に、該ユーザ装置は、フィードバック類型に従って、確定された長期及び／又は広帯域コードブック、及び、瞬時及び／又は狭帯域コードブックの、所定コードブックにおける順番号を、フィードバックモード記述中で確定される時間周波数リソース上で基地局に送信し；及び、
ユーザ装置が周期性フィードバックを行う時に、該ユーザ装置は、フィードバック類型に従って、確定された長期及び／又は広帯域コードブック、及び、瞬時及び／又は狭帯域コードブックの所定コードブック中の順番号を、単独で及び／又は他のフィードバック内容と組み合わせた後に、フィードバックモード記述中で確定された時間周波数リソース上で基地局に送信することを含み、
該所定コードブックは、上述の方法により確定されたコードブックである。
【００１９】
本発明の実施例の第十側面によれば、ユーザ装置が提供され、該ユーザ装置は、
情報フィードバックユニットを含み、該情報フィードバックユニットは、
ユーザ装置が非周期性フィードバックを行う時に、フィードバック類型に従って、確定された長期及び／又は広帯域コードブック、及び、瞬時及び／又は狭帯域コードブックの所定コードブック中の順番号を、フィードバックモード記述中で確定された時間周波数リソース上で基地局に送信し；及び、
ユーザ装置が周期性フィードバックを行う時に、フィードバック類型に基づいて、確定された長期及び／又は広帯域コードブック、及び、瞬時及び／又は狭帯域コードブックの所定コードブック中の順番号を、単独で及び／又は他のフィードバック内容と組み合わせた後に、フィードバックモード記述中で確定された時間周波数リソース上で基地局に送信するために用いられ、
該所定コードブックは、上述の方法により確定されたコードブックである。
【００２０】
本発明の実施例の第十一側面によれば、情報フィードバック方法が提供され、該方法は、
ユーザ装置が、アレーアンテナの水平及び垂直方向で独立してフィードバックを行うための関連指示情報をジョイントエンコーディングを行い；及び
ジョイントエンコーディング後の情報をネットワーク側に送信することを含み、
そのうち、該関連指示情報は、以下の情報の１つ又は１つ以上を含み、即ち、
データ流の総数量、水平方向のランク指示、垂直方向のランク指示、水平方向のプリコーディング行列指示、垂直方向のプリコーディング行列指示、及び、プリコーディング類型指示であり；又は、
ダブルコードブックの構造を採用する時に、該関連指示情報は、以下の情報の１つ又は１つ以上を含み、即ち、
データ流の総数量、水平方向のランク指示、垂直方向のランク指示、プリコーディング類型指示、水平方向の長期及び／又は広帯域プリコーディング行列指示、水平方向の瞬時及び／又は狭帯域プリコーディング行列指示、垂直方向の長期及び／又は広帯域プリコーディング行列指示、垂直方向の瞬時及び／又は狭帯域プリコーディング行列指示、水平及び垂直方向の長期及び／又は広帯域コードワードの組み合わせを長期及び／又は広帯域プリコーディング行列とするプリコーディング行列指示、水平及び垂直方向の瞬時及び／又は狭帯域コードワードの組み合わせを瞬時及び／又は狭帯域プリコーディング行列とするプリコーディング行列指示、水平方向の長期及び／又は広帯域コードワード及び垂直方向のプリコーディングコードワードの組み合わせを長期及び／又は広帯域プリコーディング行列とするプリコーディング行列指示、及び、水平方向の瞬時及び／又は狭帯域コードワード及び垂直方向のプリコーディングコードワードの組み合わせを瞬時及び／又は狭帯域プリコーディング行列とするプリコーディング行列指示である。
【００２１】
本発明の実施例の第十二側面によれば、ユーザ装置が提供され、該ユーザ装置は、
アレーアンテナの水平及び垂直方向で独立してフィードバックを行うための関連指示情報に対してジョイントエンコーディングを行うためのエンコーディングユニット；及び、
ジョイントエンコーディング後の情報をネットワーク側に送信するための送信ユニットを含み、
そのうち、該関連指示情報は、以下の情報の１つ又は１つ以上を含み、即ち、
データ流の総数量、水平方向のランク指示、垂直方向のランク指示、水平方向のプリコーディング行列指示、垂直方向のプリコーディング行列指示、及び、プリコーディング類型指示であり；又は、
ダブルコードブックの構造を採用する時に、該関連指示情報は、以下の情報の１つ又は１つ以上を含み、即ち、
データ流の総数量、水平方向のランク指示、垂直方向のランク指示、プリコーディング類型指示、水平方向の長期及び／又は広帯域プリコーディング行列指示、水平方向の瞬時及び／又は狭帯域プリコーディング行列指示、垂直方向の長期及び／又は広帯域プリコーディング行列指示、垂直方向の瞬時及び／又は狭帯域プリコーディング行列指示、水平及び垂直方向の長期及び／又は広帯域コードワードの組み合わせを長期及び／又は広帯域プリコーディング行列とするプリコーディング行列指示、水平及び垂直方向の瞬時及び／又は狭帯域コードワードの組み合わせを瞬時及び／又は狭帯域プリコーディング行列とするプリコーディング行列指示、水平方向の長期及び／又は広帯域コードワード及び垂直方向のプリコーディングコードワードの組み合わせを長期及び／又は広帯域プリコーディング行列とするプリコーディング行列指示、及び、水平方向の瞬時及び／又は狭帯域コードワード及び垂直方向のプリコーディングコードワードの組み合わせを瞬時及び／又は狭帯域プリコーディング行列とするプリコーディング行列指示である。
【００２２】
本発明の実施例の第十三側面によれば、コードブック確定方法が提供され、該方法は、
システムのコードブックのセットを確定し；及び、
該システムのコードブックのセット、及び、該ユーザ装置の所在するセルの内部領域又は外部領域に基づいて、内部領域及び外部領域に対応するコードブックのサブセットを確定することを含む。
【００２３】
本発明の実施例の第十四側面によれば、コードブック確定装置が提供され、該装置は、
システムのコードブックのセットを確定するための第一コードブック確定ユニット；及び、
該システムのコードブックのセット、及び、該ユーザ装置の所在するセルの内部領域又は外部領域に基づいて、内部領域及び外部領域に対応するコードブックのサブセットを確定するための第二コードブック確定ユニットを含む。
【００２４】
本発明の実施例の第十五側面によれば、コンピュータ可読プログラムが提供され、そのうち、ユーザ装置中で前記プログラムを実行する時に、前記プログラムは、コンピュータに、ユーザ装置中で第一、九、十一側面に記載の情報フィードバック方法を実行させる。
【００２５】
本発明の実施例の第十六側面によれば、コンピュータ可読プログラムを記憶した記憶媒体が提供され、そのうち、前記コンピュータ可読プログラムは、コンピュータに、ユーザ装置中で、第一、九、十一側面に記載の情報フィードバック方法を実行させる。
【００２６】
本発明の実施例の第十七側面によれば、コンピュータ可読プログラムが提供され、そのうち、基地局中で前記プログラムを実行する時に、前記プログラムは、コンピュータに、基地局中で第二側面に記載の情報フィードバック方法を実行させる。
【００２７】
本発明の実施例の第十八側面によれば、コンピュータ可読プログラムを記憶した記憶媒体が提供され、そのうち、前記コンピュータ可読プログラムは、コンピュータに、基地局中で第二側面に記載の情報フィードバック方法を実行させる。
【００２８】
本発明の実施例の第十九側面によれば、コンピュータ可読プログラムが提供され、そのうち、コードブック確定装置中で前記プログラムを実行する時に、前記プログラムは、コンピュータに、コードブック確定装置中で第五、六、十三側面に記載のコードブック確定方法を実行させる。
【００２９】
本発明の実施例の第二十側面によれば、コンピュータ可読プログラムを記憶した記憶媒体が提供され、そのうち、前記コンピュータ可読プログラムは、コンピュータに、コードブック確定装置中で第五、六、十三側面に記載のコードブック確定方法を実行させる。
【００３０】
本発明の実施例の有益な効果は、水平及び垂直方向で独立してCSIフィードバックを行うことで、単一フィードバックのシグナリングオーバーヘッドを軽減し、また、プリコーディングコードブックのサイズを小さくすることもできる。
【００３１】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００３２】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００３３】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００３４】
含まれている図面は、本発明の実施例への更なる理解を提供するために用いられ、これらの図面は、本明細書の一部を構成しており、本発明の実施形態を例示し、文字記載とともに本発明の原理を説明するために用いられる。また、明らかのように、次に記載されている図面は、本発明の幾つかの実施例を示すためのものに過ぎず、当業者は、創造性のある労働をせずに、これらの図面に基づいて他の図面を得ることもできる。
【図１】クロスポーラリゼーション２次元平面アレーアンテナ構造を示す図である。
【図２】均一線形２次元平面アレーアンテナ構造を示す図である。
【図３】本発明の実施例2における情報フィードバック方法のフローチャートである。
【図４】本発明の実施例2におけるプリコーディング行列の確定のためのフローチャートである。
【図５】本発明の実施例2における複合プリコーディング行列の確定のためのフローチャートである。
【図６】本発明の実施例3におけるユーザ装置の構成を示す図である。
【図７】本発明の実施例4における基地局の構成を示す図である。
【図８】本発明の実施例4における第一処理ユニットの構成を示す図である。
【図９】本発明の実施例4における第二処理ユニットの構成を示す図である。
【図１０】本発明の実施例4における基地局の構成を示す図である。
【図１１】本発明の実施例11における情報フィードバック方法のフローチャートである。
【図１２】本発明の実施例12におけるユーザ装置の構成を示す図である。
【図１３】本発明の実施例13におけるコードブック確定方法のフローチャートである。
【図１４】本発明の実施例14における基地局の内部領域及び外部領域の分割を示す図である。
【図１５】本発明の実施例14におけるコードブック確定装置の構成を示す図である。
【発明を実施するための形態】
【００３５】
以下、図面をもとに本発明の各種の実施形態について説明する。これらの実施形態は例示に過ぎず、本発明を限定するものではない。当業者が容易に本発明の原理及び実施形態を理解し得るために、本発明の実施形態では、LTEシステムの情報フィードバック方法及びコードブック確定方法を例として説明しているが、理解すべきは、本発明は、上述のシステムに限定されず、情報フィードバック及びコードブック確定に関する他のシステムにも適用し得るということである。
【００３６】
上述の技術問題を解決するために、本発明の実施例では、アンテナのポート数が比較的多いアンテナ配置のシナリオに適応するように、チャネル状態情報（CSI）フィードバックを行う時に、水平及び垂直方向に基づいて、サポートし得るデータ流の数量及び／又は対応するプリコーディング行列指示をそれぞれフィードバックする。しかし、CQIについては、水平及び垂直方向の区分を行わず、従来のリリース中のCSIフィードバック方式でフィードバックを行い、また、ここでは、RI及びPMIについて詳細に説明しない。
【００３７】
以下、図面を参照しながら本発明の実施例について説明する。
【実施例１】
【００３８】
本発明の実施例1は情報フィードバック方法を提供し、該方法は、アレーアンテナの水平及び垂直方向にともに１つ又は１つ以上のデータ流の伝送をサポートする時に、該ユーザ装置が基地局に関連情報をフィードバックすることを含み；
そのうち、該関連情報は、垂直方向でサポートするデータ流の数量、水平方向でサポートするデータ流の数量、及び、ユーザ装置がサポートするデータ流の総数量のうちの任意の２つ又は２つ以上を含む。
【００３９】
本実施例では、データ流の総数量はトータルなランク指示（RI）と表することができ、水平方向のデータ流の数量はNH（水平方向のランク指示）と表することができ、垂直方向のデータ流の数量はNV（垂直方向のランク指示）と表することができる。
【００４０】
本実施例から分かるように、水平方向、垂直方向において１つ又は１つ以上のデータ流をサポートし得る時に、該ユーザ装置は、RI、NH、NVのうちの任意の２つ又はすべてをフィードバックすることができ；このような場合、基地局側では、基地局は、ユーザ装置がフィードバックしたRI、NH、NVのうちの任意の２つを受信した時に、そのうちの任意の２つに基づいて、もう１つのデータ流の数量を推定することができる。例えば、ユーザ装置がRI、NHをフィードバックすれば、該基地局は、該RI、NHに基づいてNVを推定することができ；又は、ユーザ装置がRI、NVをフィードバックすれば、該基地局は、該RI、NVに基づいてNHを推定することができ；又は、ユーザ装置がNH、NVをフィードバックすれば、該基地局は、該NH、NVに基づいてRIを推定することができる。
【００４１】
また、該垂直方向でサポートするデータ流の数量NVが定値である時に、該ユーザ装置は、水平方向でサポートするデータ流の数量NH及びユーザ装置がサポートするデータ流の総数量RIのうちの任意の１つのみフィードバックすることができ、又は、該水平方向でサポートするデータ流の流量NHが定値である時に、該ユーザ装置は、垂直方向でサポートするデータ流の数量NV及びユーザ装置がサポートするデータ流の総数量RIのうちの任意の１つのみフィードバックすることができる。
【００４２】
このような場合、基地局側では、基地局は、該ユーザ装置がフィードバックしたNV、NH、RIのうちの任意の１つを受信した時に、所定方式に基づいてその他の２つのデータ流の数量を推定することができる。例えば、水平方向又は垂直方向のデータ流の数量が定値である時に、予め該水平方向又は垂直方向のデータ流の数量を（例えば、上位層シグナリングにより）構成することができ、このようにして、ユーザ装置側及び基地局側では該定値を知ることができ；このような場合、基地局は、ユーザ装置がフィードバックした１つのデータ流の数量を受信した時に、予め構成された該値及びフィードバックされたデータ流の数量に基づいて、２つデータ流の数量を知ることができ、その後、この２つデータ流の数量に基づいて、もう１つの未フィードバックのデータ流の数量を推定することができる。
【００４３】
例えば、水平方向のデータ流の数量が1である時に、即ち、水平方向で常にランクが1で伝送を行う時に、該ユーザ装置は、RI又はNVをフィードバックすることができ；垂直方向のデータ流の数量が1である時に、即ち、垂直方向で常にランクが1で伝送を行う時に、該ユーザ装置は、RI又はNHをフィードバックすることができる。このような場合、上位層シグナリングにより予め該定値“1”を構成することで、ユーザ装置側及び基地局側は水平方向又は垂直方向のデータ流の数量を把握することができ、このようにして、該基地局は、ユーザ装置がフィードバックした関連情報を受信した後に、該関連情報及び予め構成された該定値に基づいて、未フィードバックのもう１つのデータ流の数量を推定することができる。そのうち、定値“1”は例示に過ぎず、本発明では、実際の状況に応じて、他の数値、例えば、2、4等を取っても良い。
【００４４】
本実施例では、該ユーザ装置は、上述の関連情報の他に、垂直方向のプリコーディング行列指示IV及び水平方向のプリコーディング行列指示IHをフィードバックすることもできる。なお、該情報は、選択可能な情報であり、例えば、基地局側でプリコーディング行列を確定する時にフィードバックされても良く、該基地局側でこのような情報が要らない他の操作を行う時にフィードバックされなくても良い。
【００４５】
本実施例では、上述の関連情報をCSIとしてネットワーク側にフィードバックすることで、ネットワーク側は、これらの情報に基づいて、水平及び垂直方向のデータ流の数量を決定することができ；又は、さらに水平及び垂直方向のプリコーディング行列、及び、複合プリコーディング行列を確定することもできる。
【００４６】
本実施例から分かるように、データ流の総数量、及び／又は、水平及び／又は垂直方向のデータ流の数量、及び／又は、プリコーディング行列指示をフィードバックすることで、シグナリングオーバーヘッドを低減し、プリコーディング行列のサイズを小さくすることができる。
【実施例２】
【００４７】
図3は本発明の実施例2における情報フィードバック方法のフローチャートである。図3に示すように、該方法は次のステップを含み、即ち、
ステップ301：ユーザ装置がフィードバックした関連情報を受信し；
本実施例では、該関連情報は、実施例1と同様であるため、ここでは詳しい説明が省略される。
【００４８】
本実施例から分かるように、該基地局は、該ユーザ装置がフィードバックした関連情報を得ることで、実際のニーズに基づいてこれらの情報を使用することができる。
【００４９】
本実施例では、該関連情報を受信した後に、該基地局は、該関連情報に基づいて、又は、該関連情報及び予め構成された定値に基づいて、水平及び垂直方向のデータ流の数量を確定することができ、また、ユーザ装置がサポートするデータ流の総数量を確定することもできる。これは、実施例1に記載のようであるし、以下に例を挙げて説明するつもりであるため、ここでは詳しい説明が省略される。
【００５０】
本実施例では、基地局側で水平及び垂直方向のプリコーディング行列を確定し、又は、さらに複合プリコーディング行列を確定する時に、該方法は更に次のステップを含んでも良く、即ち、
ステップ302：該関連情報に基づいて、又は、該関連情報及び予め構成された情報に基づいて、水平及び垂直方向のプリコーディング行列を確定し；
本実施例では、水平方向のプリコーディング行列はWHと表することができ、垂直方向のプリコーディング行列はWVと表することができる。
【００５１】
本実施例から分かるように、基地局は、ユーザ装置が報告した関連情報に基づいて、水平方向、垂直方向のプリコーディング行列を確定することができる。
【００５２】
本実施例では、ステップ302の後に、該方法は更に次のステップを含んでも良く、即ち、
ステップ303：複合プリコーディング行列（即ち、トータルなプリコーディング行列）を確定する。
【００５３】
本実施例では、ステップ302で、該関連情報に基づいて水平及び垂直方向のプリコーディング行列を確定する時に、図4に示す方式を採用することができる。
【００５４】
本実施例から分かるように、ステップ302及びステップ303は、選択可能なステップであり、基地局がプリコーディング行列を確定する時に実行されても良く、このような操作を行わない時に実行されなくても良い。
【００５５】
図4は本発明の実施例2におけるプリコーディング行列の確定のためのフローチャートである。図4に示すように、次のステップを含み、即ち、
ステップ401：該関連情報に基づいて、又は、該関連情報及び予め構成された情報に基づいて、垂直及び水平方向のデータ流の数量を確定し；
本実施例では、例えば、ユーザ装置がフィードバックする関連情報がRI、NHであれば、該基地局は、該RI、NHに基づいてNVを推定することができ、例えば、
【数１】
0006264451.tif 000002
又は
【数２】
0006264451.tif 000003
であり、そのうち、
（外１）
0006264451.tif 000004
及び
（外２）
0006264451.tif 000005
は、それぞれ、床関数及び天井関数による処理を表し；又は、ユーザ装置がRI、NVをフィードバックすれば、該基地局は、該RI、NVに基づいてNHを推定することができ、例えば、
【数３】
0006264451.tif 000006
又は
【数４】
0006264451.tif 000007
であり；又は、ユーザ装置がNH、NVをフィードバックすれば、該基地局は、該NH、NVを直接確定することができ；また、さらに該NH、NVに基づいてデータ流の総数量RIを推定することができ、例えば、RI=NHNVである。
【００５６】
本実施例では、水平方向のデータ流の数量が定値、例えば、1である時に、即ち、水平方向で常にランクが1で伝送を行う時に、ユーザ装置は、RI又はNVをフィードバックすることができ、また、未フィードバックの情報については、予め構成された情報、例えば、上位層シグナリングにより構成された情報及びフィードバックされた情報に基づいて推定することができ、例えば、上位層シグナリングにより、水平方向で常にランクが1で伝送を行うと構成されれば、未フィードバックのNV=RIであり；垂直方向のデータ流の数量が1である時に、即ち、垂直方向で常にランクが1で伝送を行う時に、ユーザ装置は、RI又はNHをフィードバックすることができ、同様に、未フィードバックの情報については、上位層シグナリングにより構成された情報及びフィードバックされた情報に基づいて推定することができる。
【００５７】
ステップ402：垂直方向のデータ流の数量NV及び水平方向のデータ流の数量NH、及び、垂直及び水平方向のプリコーディング行列指示に基づいて、所定の垂直方向に対応するプリコーディングコードブック、及び、水平方向に対応するプリコーディングコードブックのうちから、垂直方向のプリコーディング行列WV及び水平方向のプリコーディング行列WHをそれぞれ選出し；
本実施例では、水平及び垂直方向に基づいてプリコーディングコードブックをそれぞれ確定することができ、このようにして、プリコーディング行列のサイズを小さくすることができる。
【００５８】
本実施例では、該水平方向のプリコーディング行列指示（PMI）はIHと表することができ、該垂直方向のプリコーディング行列指示はIVと表することができ、該IH及びIVは、該ユーザ装置によりフィードバックすることができる。
【００５９】
本実施例から分かるように、データ流の総数量、及び／又は、水平方向のデータ流の数量、及び／又は、垂直方向のデータ流の数量、及び、水平及び垂直方向のプリコーディング行列指示をフィードバックして、水平及び垂直方向のプリコーディング行列を確定することで、プリコーディング行列のサイズを小さくすることができる。
【００６０】
本実施例では、ステップ303で、複合プリコーディング行列を確定する時に、図5に示す方式を採用することができる。
【００６１】
図5は本発明の実施例2における複合プリコーディング行列の確定のためのフローチャートである。図5に示すように、該方法は次のステップを含み、即ち、
ステップ501：垂直方向のプリコーディング行列WV及び水平方向のプリコーディング行列WHを用いて、初期の複合プリコーディング行列Wを取得し、該初期の複合プリコーディング行列Wは、所定数量の直交する列ベクトルを有し；該所定数量は、垂直方向でサポートされるデータ流の数量及び水平方向でサポートされるデータ流の数量の乗積（NHNV）である。
【００６２】
本実施例では、垂直方向のプリコーディング行列WV及び水平方向のプリコーディング行列WHを処理して、初期の複合プリコーディング行列W（トータルなプリコーディング行列Wとも称される）を得ることができる。
【００６３】
例えば、W＝f（WH,WV）であり、そのうち、f（.）は、特定の関数、例えば、行列の乗積、行列のクロネッカー積（Kronecker積）、又はアダマール積（Hadamard積）等を表す。
【００６４】
ステップ502：ユーザ装置がサポートするデータ流の総数量RIが、垂直及び水平方向でサポートするデータ流の数量の乗積（NHNV）以上である時に、該初期の複合プリコーディング行列を最終の複合プリコーディング行列とし；また、
該ユーザ装置がサポートするデータ流の総数量が、垂直及び水平方向でサポートするデータ流の数量の乗積（NHNV）よりも小さい時に、該基地局は、上述の所定数量（NHNV）の直交する列ベクトルのうちの一定数量の直交する列ベクトルを捨て、残りの直交する列ベクトルを最終の複合プリコーディング行列とし；該一定数量は、ユーザ装置がサポートするデータ流の総数量RIを、垂直及び水平方向でサポートするデータ流の数量の乗積NHNVから引いたもの（NHNV-RI）である。
【００６５】
本実施例では、該RIはユーザ装置によりフィードバックされても良いが、該ユーザ装置が該RIをフィードバックしない場合、該UEがフィードバックしたNH及びNVに基づいて確定することができ；又は、水平方向又は垂直方向のデータ流の数量が1である時に、該UEがフィードバックしたNV又はNH、及び、該データ流の数量1に基づいて確定することができる。
【００６６】
本実施例では、該方法は更に次のステップを含んでも良く、即ち、該基地局はユーザ装置に指示情報を送信し、該指示情報によりフィードバックメカニズムを指示する。このようにして、該ユーザ装置は、該指示情報を受信した後に、該指示情報に基づいて関連情報をフィードバックすることができ、且つ、該基地局は、該関連情報を受信した後に、予め構成されたフィードバックメカニズムに基づいて、対応する処理方式を採用して水平及び垂直方向のプリコーディング行列又は複合プリコーディング行列を確定することができる。
【００６７】
本実施例では、RRCシグナリングにより、上述の指示情報（フィードバック情報）を構成することができ、即ち、該ユーザ装置がフィードバックする情報を構成しても良いが、該シグナリングに限定されず、他の既存の情報又は新しく生成されるシグナリングにより該指示情報を構成しても良い。
【００６８】
本実施例から分かるように、水平及び垂直方向のプリコーディング行列に基づいて複合プリコーディング行列を確定することで、プリコーディング行列のサイズを小さくすることができる。
【実施例３】
【００６９】
本発明の実施例3はユーザ装置を提供し、該ユーザ装置はフィードバックユニットを含み、該フィードバックユニットは、アレーアンテナの水平及び垂直方向にともに１つ又は１つ以上のデータ流の伝送をサポートする時に、該ユーザ装置が基地局に関連情報をフィードバックするために用いられ、
そのうち、該関連情報は実施例1と同様であるため、ここでは詳しい説明が省略される。
【００７０】
本実施例では、該フィードバックユニットの他に、該ユーザ装置は更に、従来のユーザ装置と共通の技術的特徴を含んでも良く、例えば、該ユーザ装置は携帯電話である。なお、該図は例示に過ぎない。携帯電話600は更に、通信機能又は他の機能を実現するために、該操作回路を補充又は代替するように他の類型の回路部品を有しても良い。もちろん、携帯電話600は、必ずしも図6に示す全ての部品を有する必要がない。
【００７１】
図6は本発明の実施例3によるユーザ装置の構造を示す図である。図6に示すように、ユーザ装置600はフィードバックユニット603を含み、また、図6に示すように、携帯電話600は主制御回路601、送受信機606、アンテナ607、入力ユニット604、音声処理ユニット605、記憶器602、表示器609、電源610を含んでも良い。主制御回路601は制御器又は操作コントローラーと称されることがあり、マイクロ処理器又は他の処理器装置及び／又は論理装置を含んでも良く、また、該主制御回路601は入力を受信して携帯電話600の各部品の操作を制御するために用いられる。そのうち、記憶器602は例えばバッファ、フレッシュメモリ、HDD、移動可能な媒体、揮発性記憶器、非揮発性記憶器又は他の適切な装置のうちの一つ又は複数を含んでも良く、上述の情報フィードバックプログラムを記憶することができる。また、主制御器回路601は、該記憶器602に記憶されている該プログラムを実行させることで、情報フィードバックを実現することができる。なお、他の部品の機能は従来と同様であるため、ここでは詳しい説明が省略される。
【００７２】
携帯電話600の各部品は専用ハードウェア、ファームウェア、ソフトウェア又はその組み合わせにより実現しても良く、これらのすべては本発明の範囲に属する。
【００７３】
本実施例から分かるように、フィードバックデータ流の総数量、及び／又は、垂直方向及び／又は水平方向のデータ流の数量、及び／又は、水平及び垂直方向のプリコーディング行列指示により、プリコーディング行列のサイズを小さくすることができ、また、単一フィードバックのシグナリングオーバーヘッドを軽減することもできる。
【実施例４】
【００７４】
図7は本発明の実施例4による基地局の構造を示す図である。図7に示すように、基地局700は第一受信ユニット701を含み、第一受信ユニット701はユーザ装置がフィードバックした関連情報を受信するために用いられ、そのうち、該関連情報は実施例1と同様であるため、ここでは詳しい説明が省略される。
【００７５】
これにより、基地局700は該関連情報に基づいて、又は、該関連情報及び予め構成された情報に基づいて、水平方向、垂直方向のデータ流の数量を確定し、又は、データ流の総数量を知ることもできる。このような場合、基地局700は情報確定ユニットを含んでも良く、それは該関連情報に基づいて、又は、該関連情報及び予め構成された情報に基づいて、水平及び垂直方向のデータ流の数量を確定し、又は、データ流の総数量を更に把握することができる。
【００７６】
本実施例では、基地局がプリコーディング行列を確定する時に、基地局700は更に、第一処理ユニット702を含んでも良く、そのうち、
第一処理ユニット702は、該関連情報に基づいて、又は、該関連情報及び予め構成された情報に基づいて、水平及び垂直方向のプリコーディング行列を確定する。
【００７７】
本実施例では、図８に示すように、第一処理ユニット702は第一確定ユニット801及び第二確定ユニット802を含んでも良く；そのうち、第一確定ユニット801は、該関連情報に基づいて、又は該関連情報及び予め構成された情報に基づいて、垂直及び水平方向のデータ流の数量を確定し；第二確定ユニット802は、該垂直及び水平方向のデータ流の数量、及び、垂直及び水平方向のプリコーディング行列指示に基づいて、所定の垂直方向に対応するプリコーディングコードブック及び水平方向に対応するプリコーディングコードブックのうちから、それぞれ、垂直方向のプリコーディング行列WV及び水平方向のプリコーディング行列WHを選択する。具体的な確定過程は実施例2、図4と同様であるため、ここでは詳しい説明を省略する。
【００７８】
本実施例では、第一処理ユニット702が水平及び垂直方向のプリコーディング行列を確定した後に、基地局700は更に第二処理ユニット703を含んでも良く、それは複合プリコーディング行列Wを確定するために用いられる。
【００７９】
図9は本発明の実施例4による第二処理ユニットの構造を示す図である。図9に示すように、第二処理ユニット703は第三確定ユニット901及び第四確定ユニット902を含み、そのうち、
第三確定ユニット901は、該垂直方向のプリコーディング行列WV及び水平方向のプリコーディング行列WHを用いて、初期の複合プリコーディング行列Wを取得し、該初期の複合プリコーディング行列は、所定数量の直交する列ベクトルを有し；該所定数量は、垂直及び水平方向でサポートされるデータ流の数量の乗積（NHNV）であり；
第四確定ユニット902は、該ユーザ装置がサポートするデータ流の総数量が垂直及び水平方向でサポートするデータ流の数量の乗積以上である時、該初期の複合プリコーディング行列を最終の複合プリコーディング行列とし；
該ユーザ装置がサポートするデータ流の総数量が垂直及び水平方向でサポートするデータ流の数量の乗積よりも小さい時に、該基地局は、該所定数量の直交する列ベクトルのうちの一定数量の直交する列ベクトルを捨て、残りの直交する列ベクトルを最終の複合プリコーディング行列とし；該一定数量は、ユーザ装置がサポートするデータ流の総数量を、垂直及び水平方向でサポートするデータ流の数量の乗積から引いたもの（RI-NHNV）である。
【００８０】
本実施例では、基地局700は更に構成ユニット（図示せず）を含み、該構成ユニットは、ユーザ装置が指示情報を送信するために用いられ、該指示情報により、フィードバックメカニズムを指示することができる。このようにして、該ユーザ装置は、該基地局が構成した指示情報を受信した後に、該指示情報に基づいて、関連情報をフィードバックすることができ、また、該基地局は、該関連情報を受信した後に、予め構成されたフィードバックメカニズムに基づいて、対応する処理方式を採用して、水平及び垂直方向のプリコーディング行列又は複合プリコーディング行列を確定することができる。
【００８１】
本実施例では、RRCシグナリングにより上述の指示情報を構成しても良くが、該シグナリングに限定されず、他の既存の情報又は新しく生成されるシグナリングにより該指示情報を構成しても良い。
【００８２】
実施例2と同様に、第一処理ユニット702及び第二処理ユニット703は選択可能な部品である。
【００８３】
本実施例では、該基地局は、上述の部品の他に、該基地局は更に従来の基地局と共通の技術的特徴を含んでも良い。
【００８４】
図10は本発明の実施例4による基地局の構造を示す図である。図10に示すように、該基地局は第一受信ユニット1003a、第一処理ユニット1003b、及び第二処理ユニット1003cを含み、それらの機能は上述と同様であるため、ここでは詳しい説明が省略される。また、図10に示すように、該基地局は更に、主制御回路1001、記憶器1002、送受信機1004及びアンテナ1005を含んでも良く；そのうち、該記憶器1002は情報フィードバックのプログラムを記憶し、また、主制御器1001の制御下で該プログラムを実行することができ、該プログラムの実行過程は実施例2と同様であるため、ここでは詳しい説明が省略される。なお、他の部品の機能は従来技術と同様であるため、ここでは詳しい説明が省略される。また、第一受信ユニット1003a、第一処理ユニット1003b及び第二処理ユニット1003cは、主制御回路1001と合併して一緒に使用することもできる。
【００８５】
本実施例から分かるように、該ユーザ装置は、垂直方向及び／又は水平方向に基づいて独立して関連情報をフィードバックすることで、基地局は、該ユーザ装置がフィードバックの情報を取得して、垂直及び水平方向のプリコーディング行列を確定し、プリコーディング行列のサイズを小さくすることができる。
【実施例５】
【００８６】
本発明の実施例5は更に通信システムを提供し、該通信システムは実施例3に記載のユーザ装置及び実施例4に記載の基地局を含んでも良い。なお、該ユーザ装置及び基地局の作用及び機能は実施例3及び4と同様であるため、ここでは詳しい説明が省略される。
【実施例６】
【００８７】
本発明の実施例6はコードブック確定方法を提供する。本実施例では、図1に示すアンテナ配置を採用すれば、水平及び垂直方向はともにダブルコードブックの構造を用いて、例えば、WH1及びWH2は、それぞれ、水平方向の長期／広帯域コードワード及び瞬時／狭帯域コードワードを表し；WV1及びWV2は、それぞれ、垂直方向の長期／広帯域コードワード及び瞬時／狭帯域コードワードを表す。そのうち、WV1（WV2）及びWH1（WH2）を組み合わせてコードブックを確定することができる。
【００８８】
そのうち、水平及び垂直方向の長期／広帯域コードワードの組み合わせf（WH1,WV1）を、又は、水平方向の長期／広帯域コードワードWH1及び垂直方向の長期／広帯域コードワードWV1を、長期／広帯域プリコーディング行列として、長期／広帯域コードブックを確定し；水平及び垂直方向の瞬時／狭帯域コードワードの組み合わせf（WH2,WV2）を、瞬時／狭帯域プリコーディング行列として、瞬時／狭帯域コードブックを確定し；又は、
水平方向の長期／広帯域コードワードWH1及び垂直方向の長期／広帯域コードワードWV1を長期／広帯域プリコーディング行列として、長期／広帯域コードブックを確定し、水平及び垂直方向の瞬時／狭帯域コードワードの組み合わせf（WH2,WV2）を瞬時／狭帯域プリコーディング行列として、瞬時／狭帯域コードブックを確定する。
【００８９】
本実施例では、上述及び以下に記載の“／”は、“及び／又は”を意味する。
【００９０】
本実施例では、ユーザ装置が水平面上でのみ移動する場合、WV1及びWV2のコードブックのサイズが比較的小さいため、上述のWV1（WV2）及びWH1（WH2）の組み合わせにより、コードブックを確定する。
【００９１】
以下、例を挙げて説明する。即ち、
例えば、WH1、WH2、WV1及びWV2が次のような形式を有する。なお、以下の形式は本発明の実施例のみであり、本発明は以下の形式に限定されない。
【数５】
0006264451.tif 000008
【００９２】
公式（1）では、aは、WH1中の離散フーリエ変換（DFT）コードブックのオーバーサンプリング因子を示し；mは、列ベクトルの下付き文字（数値）を示し；ΔH≧1であり、隣接する列ベクトルの下付き文字mの間の差を表し；
（外３）
0006264451.tif 000009
は、第i1個目のコードワード中のXH1の第一列の要素のｍの値を示し；NbHは、WH1中の１つの広帯域コードワードに含まれているビームの個数であり、NH1は、WH1のコードブックのサイズである。
【００９３】
bmは一般式であり、bcはm=cの場合を代表し；WH1は是ブロック対角行列であり、XH1はブロック対角行列の１つのサブブロックであり；Nは、前の図1及び図2に示している水平方向のアンテナ数であり；mはbmの下付き文字である、一般的には0以上の整数であり；i1も0以上の整数であり；Nbhは正整数である。
【数６】
0006264451.tif 000010
【００９４】
公式（2）では、bはWV1中のDFTコードブックのオーバーサンプリング因子を表し；mは列ベクトルの下付き文字を示し；ΔV≧1であり、隣接する列ベクトルの下付き文字mの間の差を表し；
（外４）
0006264451.tif 000011
は第i1個目のコードワード中のXV1の第一列の要素のｍの値を示し；NBVはWV1中の１つの広帯域コードワードに含まれているビームの個数であり、NV1はWV1のコードブックのサイズである。
【００９５】
上述と同様に、bmは一般通式、bDはm=Dの場合を代表し；WV1はブロック対角行列であり、XV1はブロック対角行列の１つサブブロックであり；Mは、前の図1及び図2に示している垂直方向のアンテナ数であり；mはbmの下付き文字であり、一般的には0以上の整数であり；i1も0以上の整数であり；Nbhは正整数である。
【数７】
0006264451.tif 000012
【００９６】
そのうち、ekはNbH次の単位行列の第k列であり、VH2の列数はNHであり、NH2はWH2のコードブックのサイズである。
【数８】
0006264451.tif 000013
【００９７】
そのうち、ekはNbV次の単位行列の第k列であり、WV2の列数はNVであり、NV2はWV2のコードブックのサイズである。
【００９８】
本実施例では、以下、３種類の具体的な組み合わせ形式を例として説明を行う。即ち、
例1：f(WH1,WV1)を広帯域プリコーディング行列としてコードブックを確定し、WH2及びWV2を狭帯域のプリコーディング行列としてそれぞれコードブックを確定する。即ち、システムには次の３つのようなコードブックが存在し、即ち、
第１個目のコードブック（I1と表される）：長期／広帯域コードブックであり、W1=f(WH1,WV1)である。
【００９９】
ここで、f(.)は複合関数であり、行列乗積、行列クロネッカー積（Kronecker積）、アダマール積（Hadamard積）及び他の行列運算等を含む。
【０１００】
例えば、WH1及びWV1中のサブ行列XH1及びXV1に対してそれぞれKronecker積を行い、新しいプリコーディングコードブックを構成する場合、同一ポーラリゼーションのアンテナ組内のアンテナポートが先に垂直でそれから水平の方向で順番付けられている時に、広帯域コードブックは次のように表することができる。
【数９】
0006264451.tif 000014
そのうち、
（外５）
0006264451.tif 000015
は、行列のKronecker積を表し、同一ポーラリゼーションのアンテナ組内のアンテナポートが先に水平でそれから垂直の方向で順番付けられている時に、
【数１０】
0006264451.tif 000016
である。この時に、長期／広帯域コードブックW1のサイズはWH1WV1であり、各広帯域コードワード中のビームの個数はNbHNbVである。コードブック設計時に、NH1、NV1、NbH、NbVの値を適切に取っても良く、又は、コードワード形成後に、各W1中のビームに対して選択を行い、即ち、ビームの個数NbがNbHNbVよりも小さくても良く、これにより、システムパフォーマンス及びフィードバックオーバーヘッドの間の折衷を得ることができる。
【０１０１】
第２個目のコードブック（I2と表される）：瞬時／狭帯域水平方向コードブックであり、公式（3）、即ち、
【数１１】
0006264451.tif 000017
である。
【０１０２】
第３個目のコードブック（I3と表される）：瞬時／狭帯域垂直方向コードブックであり、公式（4）、即ち、
【数１２】
0006264451.tif 000018
である。
【０１０３】
しかし、瞬時／狭帯域水平及び垂直方向のコードワード中のYH1及びYV1の行数、即ち、NbH及びNbVは、長期／広帯域コードブック中のパラメータNｂとの間は、Nb=NbHNbVの関係を満足する。
【０１０４】
本実施例では、上述の組み合わせメカニズムに基づいて第一コードブックI1、第二コードブックI2及び第三コードブックI3を確定することができる。
【０１０５】
上述のコードブックを確定した後に、上述のコードブックは、ユーザ装置及び基地局側で同時に記憶することができる。ユーザ装置が関連情報をフィードバックする時に、基地局側でユーザ装置のために構成したフィードバック方式が非周期性フィードバックの場合、該ユーザ装置は、フィードバック類型に基づいて、確定したW1、WH2及びWV2の、I1、I2、I3中の順番号を、フィードバックモード記述（feedback  mode  description）において確定された時間周波数リソース上で該基地局に送信する。基地局側でユーザ装置のために構成したフィードバック方式が周期性フィードバックである時に、該ユーザ装置は、フィードバック類型に基づいて、確定したW1、WH2及びWV2の、I1、I2、I3中の順番号を、単独で又は他のCSIフィードバック内容（例えば、RI、CQI等）と組み合わせた後に、フィードバックモード記述において確定された時間周波数リソース上で該基地局に送信する。そのうち、フィードバックの組み合わせ方式については、以下の実施例10で説明するため、ここでは詳しい説明が省略される。
【０１０６】
例2：WH1及びWV1を長期／広帯域のプリコーディング行列としてそれぞれコードブック設計を行い、f(WH2,WV2)を瞬時／狭帯域プリコーディング行列としてコードブック設計を行う。即ち、システムには次の３つのようなコードブックが存在し、即ち、
第１個目のコードブック（I1と表される）：長期／広帯域水平方向コードブックであり、公式（1）、即ち、
【数１３】
0006264451.tif 000019
である。
【０１０７】
第２個目のコードブック（I2と表される）：長期／広帯域垂直方向コードブックであり、公式（2）、即ち、
【数１４】
0006264451.tif 000020
である。
【０１０８】
第３個目のコードブック（I3と表される）：瞬時／狭帯域コードブックであり、W1=f(WH2,WV2)である。
【０１０９】
ここで、f(.)は複合関数であり、行列乗積、行列クロネッカー積（Kronecker積）、アダマール積（Hadamard積）及び他の行列運算等を含む。
【０１１０】
例えば、WH2及びWV2のサブ行列に対してそれぞれKronecker積を行い、新しいプリコーディングコードブックを構成する場合、同一ポーラリゼーションのアンテナ組内のアンテナポートが先に垂直でそれから水平の方向で順番付けられている時に、広帯域コードブックは次のように表することができる。
【数１５】
0006264451.tif 000021
【０１１１】
同一ポーラリゼーションのアンテナ組内のアンテナポートが先に水平でそれから垂直の方向で順番付けられている時に、
【数１６】
0006264451.tif 000022
である。この時に、W2のサイズはNH2NV2であり、NH2及びNV2の値を適切に取っても良く、又は、コードワード形成後に、W2のコードワードに対して選択を行っても良く、即ち、W2コードブックのサイズN2がNH2NV2よりも小さくても良く、これにより、システムパフォーマンス及びフィードバックオーバーヘッドの間の折衷を得ることができる。
【０１１２】
本実施例では、上述の組み合わせメカニズムに基づいて第一コードブックI1、第二コードブックI2及び第三コードブックI3を確定することができる。
【０１１３】
ユーザ装置が関連情報をフィードバックする時に、基地局側でユーザ装置のために構成したフィードバック方式が非周期性フィードバックである時に、該ユーザ装置はフィードバック類型に基づいて、確定したWH1、WV1及びW2の、I1、I2、I3中の順番号を、フィードバックモード記述において確定された時間周波数リソース上で該基地局に送信する。基地局側でユーザ装置のために構成したフィードバック方式が周期性フィードバックである時に、該ユーザ装置は、フィードバック類型に基づいて、確定したWH1、WV1及びW2の、I1、I2、I3における順番号を、単独で又はそのCSIフィードバック内容（例えば、RI、CQI等）と組み合わせた後に、フィードバックモード記述において確定された時間周波数リソース上で該基地局に送信する。そのうち、フィードバックの組み合わせ方式については、下述の実施例10で説明するため、ここでは詳しい説明が省略される。
【０１１４】
例3：f(WH1,WV1)を広帯域のプリコーディング行列としてコードブック設計を行い、f(WH2,WV2)を狭帯域のプリコーディング行列としてコードブック設計を行う。即ち、システムには次のように２つのコードブックが存在し、即ち、
長期／広帯域コードブック：公式（5）又は（6）であり、上述と同様であるため、ここでは詳しい説明を省略する。
【０１１５】
瞬時／狭帯域コードブック：公式（7）又は（8）であり、上述と同様であるため、ここでは詳しい説明を省略する。
【０１１６】
以上に確定した第一コードブック及び第二コードブックはそれぞれI1、I2で表され、基地局側でユーザ装置のために構成したフィードバック方式が非周期性フィードバックである時に、該ユーザ装置は、フィードバック類型に基づいて、確定したf(WH1,WV1)及びf(WH2,WV2)の、I1、I2における順番号を、フィードバックモード記述中で確定された時間周波数リソース上で該基地局に送信する。基地局側でユーザ装置のために配置したフィードバック方式が周期性フィードバックである時に、該ユーザ装置は、フィードバック類型に基づいて、確定したf(WH1,WV1)及びf(WH2,WV2)のI1、I2における順番号を、単独で又は他のCSIフィードバック内容（例えばRI、CQI等）と組み合わせた後にフィードバックモード記述中で確定された時間周波数リソース上で該基地局に送信する。そのうち、フィードバックの組み合わせ方式については、下述の実施例10で説明するため、ここでは詳しい説明が省略される。
【０１１７】
本実施例では、基地局は、上述の３種類のプリコーディング行列の組み合わせ形式のうちの任意の１種を構成して使用しても良く、また、該ユーザ装置に指示しても良く、そのうち、RRCシグナリングより構成しても良く、又は、他の既存のシグナリング又は新しく生成されるシグナリングにより構成しても良く、ここでは詳しい説明が省略される。
【０１１８】
本実施例から分かるように、上述のプリコーディング行列の組み合わせ形式に基づいて、コードブックを確定することができ、また、確定したコードブックに基づいて、関連情報のフィードバックすることもできる。
【実施例７】
【０１１９】
本発明の実施例7は更にコードブック確定装置を提供し、該装置は第一コードブック確定ユニットを含み、該第一確定ユニットは、水平及び垂直方向の長期／広帯域コードワードの組み合わせを、又は、水平方向の長期／広帯域コードワード及び垂直方向の長期／広帯域コードワードを、長期／広帯域プリコーディング行列として、長期／広帯域コードブックを確定し；水平及び垂直方向の瞬時／狭帯域コードワードの組み合わせを、瞬時／狭帯域プリコーディング行列として、瞬時／狭帯域コードブックを確定し；又は、
水平方向の長期／広帯域コードワード及び垂直方向の長期／広帯域コードワードを長期／広帯域プリコーディング行列として長期／広帯域コードブックを確定し、水平及び垂直方向の瞬時／狭帯域コードワードの組み合わせを瞬時／狭帯域プリコーディング行列として瞬時／狭帯域コードブックを確定する。
【０１２０】
本実施例では、コードブックの確定過程は実施例6と同様であるため、ここでは詳しい説明が省略される。
【実施例８】
【０１２１】
本発明の実施例8はコードブック確定方法を提供する。本実施例では、アレーアンテナの水平方向は、ダブルコードブックの構造を採用し、垂直方向は、シングルコードブックの構造を採用し、例えば、WH1及びWH2は、それぞれ、水平方向の長期／広帯域コードワード及び瞬時／狭帯域コードワードを表す。
【０１２２】
そのうち、水平方向の長期／広帯域コードワード及び垂直方向のプリコーディングコードワードの組み合わせf（WH1,WV）を、又は、水平方向の長期／広帯域コードワードWH1を、広帯域プリコーディング行列として、長期／広帯域コードブックを確定し；水平方向の瞬時／狭帯域コードワードWH2及び垂直方向のプリコーディングコードワードWVの組み合わせf（WH2,WV）を、瞬時／狭帯域プリコーディング行列として、瞬時／狭帯域コードブックを確定し；
水平方向の長期／広帯域コードワードWH1を長期／広帯域プリコーディング行列として長期／広帯域コードブックを確定し、水平方向の瞬時／狭帯域コードワード及び垂直方向のプリコーディングコードワードの組み合わせf（WH2,WV）を瞬時／狭帯域プリコーディング行列として瞬時／狭帯域コードブックを確定する。
【０１２３】
本実施例では、ユーザ装置が水平面上でのみ移動すれば、WVのコードブックのサイズが比較的小さいので、上述のWVとWH1（WH2）の組み合わせによりコードブックを確定する。
【０１２４】
以下、例を挙げて説明を行い、即ち、
例えば、WH1及びWH2が公式（1）及び（2）の形式を有し、図1に示すアンテナ配置を使用する時に、WVの形式は、
【数１７】
0006264451.tif 000023
である。そのうち、ZVjは、M次のDFTベクトルであり、N3は、WVのコードブックのサイズである。
【０１２５】
図2に示すアンテナ配置を使用する時に、WVの形式は、
【数１８】
0006264451.tif 000024
である。そのうち、ZVjは、M次のDFTベクトルであり、N3は、WVのコードブックのサイズである。
【０１２６】
本実施例では、次の３種類の具体的な組み合わせ形式を例として説明を行い、即ち、
例1：f(WH1,WV)を長期／広帯域プリコーディング行列としてコードブックを設計しフィードバックし、WH2を瞬時／狭帯域プリコーディング行列としてコードブックを設計する。即ち、システムには次のような２つのコードブックが存在し、即ち、
第１個目のコードブック：長期／広帯域コードブックであり、W1=f(WH1，WV)である。
【０１２７】
ここでｈ、f(.)は複合関数であり、行列乗積、行列クロネッカー積（Kronecker積）、アダマール積（Hadamard積）及び他の行列運算等を含む。
【０１２８】
例えば、WH1のサブ行列XH1及びWVのサブ行列E、Fに対してそれぞれKronecker積を行い、新しいプリコーディングコードブックを構成する場合、同一ポーラリゼーションのアンテナ組内のアンテナポートが先に垂直でそれから水平の方向で順番付けられている時に、広帯域コードブックは、
【数１９】
0006264451.tif 000025
と表することができる。
【０１２９】
同一ポーラリゼーションのアンテナ組内のアンテナポートが先に水平でそれから垂直の方向で順番付けられている時に、
【数２０】
0006264451.tif 000026
である。
【０１３０】
本実施例では、W1のサイズはNH1N3であり、各広帯域コードワード中のビームの個数はNbHNVである。コードブック設計時に、適切にNH1、N3、NbHの値を取ることで、システムパフォーマンス及びフィードバックオーバーヘッドの間の折衷を得ることができる。
【０１３１】
第２個目のコードブック：瞬時／狭帯域コードブックであり、
【数２１】
0006264451.tif 000027
である。即ち、公式（3）に比べ、YHiの行数はNbHNVを要する。
【０１３２】
以上に確定された第一コードブック及び第二コードブックはそれぞれI1、I2と表され、基地局側でユーザ装置のために構成したフィードバック方式が非周期性フィードバックである時に、該ユーザ装置は、フィードバック類型に基づいて、確定されたW1及びW2のI1、I2における順番号を、フィードバックモード記述中で確定された時間周波数リソース上で該基地局に送信する。基地局側でユーザ装置のために構成したフィードバック方式が周期性フィードバックである時、該ユーザ装置は、フィードバック類型に基づいて、確定されたW1及びW2のI1、I2における順番号を、単独で又は他のCSIフィードバック内容（例えばRI、CQI等）と組み合わせた後に、フィードバックモード記述中で確定された時間周波数リソース上で該基地局に送信する。そのうち、フィードバックの組み合わせ方式は下述の実施例10で説明するため、ここでは詳しい説明が省略される。
【０１３３】
例2：WH1を長期／広帯域プリコーディング行列としてコードブックを設計しフィードバックし、f(WH2,WV)を瞬時／狭帯域プリコーディング行列としてコードブックを設計しフィードバックする。即ち、システムには次のような２つのコードブックが存在し、
第１個目のコードブック：長期／広帯域コードブックであり、公式（1）のようであり；
第２個目のコードブック：瞬時／狭帯域コードブックであり、W2=f(WH2,WV)である。
【０１３４】
ここで、f(.)は複合関数であり、行列乗積、行列クロネッカー積（Kronecker積）、アダマール積（Hadamard積）及び他の行列運算等を含む。
【０１３５】
例えば、WH2のサブ行列及びWVのサブ行列E、Fに対してそれぞれKronecker積を行い、新しいプリコーディングコードブックを構成する場合、同一ポーラリゼーションのアンテナ組内のアンテナポートが先に垂直でそれから水平の方向で順番付けられている時に、瞬時／狭帯域コードブックは、
【数２２】
0006264451.tif 000028
と表すことができる。
【０１３６】
同一ポーラリゼーションのアンテナ組内のアンテナポートが先に水平でそれから垂直方向で順番付けられている時に、
【数２３】
0006264451.tif 000029
である。
【０１３７】
本実施例では、W2のサイズはNH2N3であり、コードブック設計時に、適切にNH2、N3の値を選択することで、システムパフォーマンス及びフィードバックオーバーヘッドの間の折衷を取ることができる。
【０１３８】
以上に確定された第一コードブック及び第二コードブックはそれぞれI1、I2と表され、基地局側でユーザ装置のために構成したフィードバック方式が非周期性フィードバックである時に、該ユーザ装置は、フィードバック類型に基づいて、確定されたW1及びW2のI1、I2における順番号を、フィードバックモード記述中で確定されれた時間周波数リソース上で該基地局に送信する。基地局側でユーザ装置のために構成したフィードバック方式が周期性フィードバックである時に、該ユーザ装置は、フィードバック類型に基づいて、確定されたW1及びW2のI1、I2における順番号を、単独で又は他のCSIフィードバック内容（例えば、RI、CQI等）と組み合わせた後に、フィードバックモード記述中で確定された時間周波数リソース上で該基地局に送信する。そのうち、フィードバックの組み合わせ方式は下述実施例10で説明されるため、ここでは詳しい説明が省略される。
【０１３９】
例3：f(WH1,WV)を長期／広帯域プリコーディング行列としてコードブックを設計し、且つ、f(WH2,WV)を瞬時／狭帯域プリコーディング行列としてコードブックを設計及びフィードバックする。即ち、システムには次のような２つのコードブックが存在し、
長期／広帯域コードブック：上述の公式（11）又は（12）のようであるため、ここでは詳しい説明を省略し；
瞬時／狭帯域コードブック：上述の公式（13）又は（14）のようであるため、ここでは詳しい説明を省略する。
【０１４０】
以上に確定された第一コードブック及び第二コードブックはそれぞれI1、I2と表され、基地局側でユーザ装置のために構成したフィードバック方式が非周期性フィードバックである時に、該ユーザ装置は、フィードバック類型に基づいて、確定されたf(WH1,WV)及びf(WH2,WV)のI1、I2における順番号を、フィードバックモード記述中で確定された時間周波数リソース上で該基地局に送信する。基地局側でユーザ装置のために構成したフィードバック方式が周期性フィードバックである時に、該ユーザ装置は、フィードバック類型に基づいて、確定されたf(WH1,WV)及びf(WH2,WV)のI1、I2における順番号を、単独で又は他のCSIフィードバック内容（例えば、RI、CQI等）と組み合わせた後に、フィードバックモード記述中で確定された時間周波数リソース上で該基地局に送信する。そのうち、フィードバックの組み合わせ方式は下述の実施例10で説明されるため、ここでは詳しい説明が省略される。
【０１４１】
実施例6と同様に、基地局も以上の３種類のプリコーディング行列の組み合わせ形式のうちの任意の１つを構成し使用することができ、また、該構成をユーザ装置に通知することもでき、そのうち、RRCシグナリングにより構成しても良く、他の既存又は新しく生成されるシグナリングにより構成しても良い。
【０１４２】
また、情報フィードバック時に、対応するランク指示、プリコーディング行列指示をフィードバックすることができ、具体的な方法は、次の実施例10に記載の方法を採用することができ、また、以下に説明されるため、ここでは詳しい説明が省略される。なお、実施例10に記載の方法に限定されず、従来の任意の方法を採用してフィードバックしても良い。
【実施例９】
【０１４３】
本発明の実施例9はコードブック確定装置を提供する。該装置は第二コードブック確定ユニットを含み、該第二コードブック確定ユニットは、水平方向の長期／広帯域コードワード及び垂直方向のプリコーディングコードワードの組み合わせを、又は、水平方向の長期／広帯域コードワードを長期／広帯域プリコーディング行列として、長期／広帯域コードブックを確定し；水平方向の瞬時／狭帯域コードワード及び垂直方向のプリコーディングコードワードの組み合わせを瞬時／狭帯域プリコーディング行列として瞬時／狭帯域コードブックを確定し；
水平方向の長期／広帯域コードワードを長期／広帯域プリコーディング行列として長期／広帯域コードブックを確定し、水平方向の瞬時／狭帯域コードワード及び垂直方向のプリコーディングコードワードの組み合わせを瞬時／狭帯域プリコーディング行列として瞬時又は狭帯域コードブックを確定するために用いられる。
【０１４４】
具体的な確定方法は実施例8と同様であるため、ここでは詳しい説明が省略される。
【０１４５】
上述の実施例6〜9では、f（.）は特定の関数、例えば、行列コンボリューション、行列クロネッカー積（Kronecker積）又はアダマール積（Hadamard積）等を表し、これは実施例2と同様であるため、ここでは詳しい説明が省略される。
【０１４６】
また、上述の実施例では、具体的にどの組み合わせ方式を採用するかについては、基地局側で構成を行っても良く、RRCシグナリングにより構成を行っても良いが、これに限定されず、既存のシグナリング又は新しく生成されるシグナリングにより構成を行っても良い。
【０１４７】
上述の実施例7及び実施例9のコードブック確定装置は、ユーザ装置側又は基地局側で設置されても良く、ユーザ装置側で設置される時に、該ユーザ装置は上述の部品の他に、従来技術と共通する他の部品を含んでも良く、これは、実施例3と同様であるため、ここでは詳しい説明が省略され；また、基地局側で設置される時に、該基地局は上述の部品の他に、従来技術と共通する他の部品を含んでも良く、これは、実施例4と同様であるため、ここでは詳しい説明が省略される。
【実施例１０】
【０１４８】
本発明の実施例10は更にユーザ装置を提供する。該ユーザ装置は情報フィードバックユニットを含み、該情報フィードバックユニットは、ユーザ装置が非周期性フィードバックを行う時に、フィードバック類型に基づいて、確定された長期／広帯域コードブック、及び、瞬時／狭帯域コードブックの、所定コードブックにおける順番号を、フィードバックモード記述中で確定された時間周波数リソース上で基地局に送るために用いられ；また、ユーザ装置が周期性フィードバックを行う時に、フィードバック類型に従って、確定された長期／広帯域コードブック、及び、瞬時／狭帯域コードブックの、所定コードブックにおける順番号を、単独で又は他のフィードバック内容と組み合わせた後に、フィードバックモード記述中で確定された時間周波数リソース上で基地局に送信するために用いられ；
該所定コードブックは、上述の実施例6又は8に記載の方法により確定されたコードブックである。
【０１４９】
本実施例では、該ユーザ装置は上述の情報フィードバックユニットの他に、従来技術と共通する他の部品を含んでも良く、これは実施例3と同様であるため、ここでは詳しい説明が省略される。
【実施例１１】
【０１５０】
図11は本発明の実施例11による情報フィードバック方法のフローチャートである。図11に示すように、該方法は次のステップを含み、即ち、
ステップ1101：ユーザ装置が、アレーアンテナの水平及び垂直方向において独立してフィードバックを行うための関連指示情報をジョイントエンコーディングし；
ステップ1102：ジョイントエンコーディング後の情報をネットワーク側に送信する。
【０１５１】
本実施例では、該関連指示情報は、上述の実施例1〜10に記載のランク指示、プリコーディング指示、プリコーディング類型指示（PTI）のうちの１つ又は１つ以上の情報を含み、以下、例を挙げて説明する。
【０１５２】
上述の関連指示情報は、データ流の総数量（RI）、水平方向のランク指示（NH）、垂直方向のランク指示（NV）、水平方向のプリコーディング行列指示（IH）、垂直方向のプリコーディング行列指示（IV）、及び、プリコーディング類型指示（PTI）を含み；又は、
ダブルコードブックの構造を採用する時に、該関連指示情報は、以下の情報の１つ又は１つ以上を含み、即ち、
データ流の総数量（RI）、水平方向のランク指示（NH）、垂直方向のランク指示（NV）、プリコーディング類型指示（PTI）、水平方向の長期／広帯域プリコーディング行列指示（IH1）、水平方向の瞬時／狭帯域プリコーディング行列指示（IH2）、垂直方向の長期／広帯域プリコーディング行列指示（IV1）、垂直方向の瞬時／狭帯域プリコーディング行列指示（IV2）、水平及び垂直方向の長期／広帯域コードワードの組み合わせf（WH1,WV1）を長期／広帯域プリコーディング行列とするプリコーディング行列指示I（WH1,WV1）、水平及び垂直方向の瞬時／狭帯域コードワードの組み合わせf（WH2,WV2）を瞬時／狭帯域プリコーディング行列とするプリコーディング行列指示I（WH2,WV2）、水平方向の長期／広帯域コードワード及び垂直方向のプリコーディングコードワードの組み合わせf（WH1,WV）を長期／広帯域プリコーディング行列とするプリコーディング行列指示I（WH1,WV）、及び、水平方向の瞬時／狭帯域コードワード及び垂直方向のプリコーディングコードワードの組み合わせf（WH2,WV）を瞬時／狭帯域プリコーディング行列とするプリコーディング行列指示I（WH2,WV）である。
【０１５３】
本実施例では、上述のジョイントエンコーディング後の情報は、物理上りリンク制御チャネル（PUCCH）により、ネットワーク側に送信しても良い。上述の情報は、チャネル状態情報CSIと称することができる。
【０１５４】
表1は、本実施例中で、ユーザ装置がCSIを報告する時に、元の報告内容をもとに新しく増加し得るCSIの報告内容である。表1は例示に過ぎず、つまり、この表の内容に限定されず、上述のランク指示、プリコーディング行列指示等の任意の組み合わせであっても良く、且つ、従来のサブバンドCQI情報との交換性も有する。
【表１】
0006264451.tif 000030
【０１５５】
表2は、LTEリリース9中の従来のPUCCH報告類型及びPUCCH報告モード（PUCCH  Reporting  Type  Payload  size  per  PUCCH  Reporting  Mode  and  Mode  State）である。
【表２】
0006264451.tif 000031
【実施例１２】
【０１５６】
図12は本発明の実施例12によるユーザ装置構造を示す図。図12に示すように、ユーザ装置1200はエンコーディングユニット1201及び送信ユニット1202を含み、そのうち、
エンコーディングユニット1201：アレーアンテナの水平及び垂直方向において独立してフィードバックを行うための関連指示情報に対してジョイントエンコーディングを行い；
送信ユニット1202：ジョイントエンコーディング後の情報をネットワーク側に送信するように構成され；
そのうち、該関連指示情報は実施例10と同様であるため、ここでは詳しい説明が省略される。
【０１５７】
また、上述の部品の他に、該ユーザ装置は更に他の部品を含んでも良く、これは図6に示す実施例3と同様であるため、ここでは詳しい説明が省略される。
【実施例１３】
【０１５８】
図13は本発明の実施例13によるコードブック確定方法のフローチャートである。図13に示すように、該方法は次のステップを含み、即ち、
ステップ1301：システムのコードブックのセットを確定し；
本実施例では、一定の基準に従って、システムのコードブックのセット、例えば、離散フーリエ変換（DFT）に基づくコードブック、grid  of  beam（GoB）に基づくコードブック、LTEリリース12及びそれ以前のリリースの2アンテナ、4アンテナ及び8アンテナのコードブック等を構築しても良いため、ここでは詳しい説明が省略される。
【０１５９】
ステップ1302：該システムのコードブックのセット及び該ユーザ装置の所在するセルの内部領域又は外部領域に基づいて、内部領域及び外部領域に対応するコードブックのサブセットを確定し；
本実施例では、図14に示すような基地局の内部領域及び外部領域の分割を示す図のように、一般的には、基地局のカバレッジの違いにより、UEの所在する位置を内部領域又は外部領域に分けても良く、基地局に近い領域を内部領域と、基地局に遠い領域を外部領域としても良く；内部領域及び外部領域と基地局との距離が異なることにより、状況も異なるため、その垂直方向のコードブックのために、異なるコードブックのサブセットの制限を構成しても良く；
そのうち、該外部領域のコードブックのサブセット及び内部領域のコードブックのサブセットは、重なり合っても良く、重なり合わなくても良く、また、システムのコードブックのセットのサブセットである。以下、例を挙げて説明する。
【０１６０】
例えば、垂直方向では公式（2）及び（4）中のダブルコードブックの構造を採用する時に、広帯域／長期コードブックWV1については、内部領域及び外部領域のために構成し得るコードブックのサブセットの順番号は、表３に示すようである。
【０１６１】
表3は、内外部領域の垂直方向での広帯域コードブックのサブセットの制限を示す表である。
【表３】
0006264451.tif 000032
【０１６２】
このようにして、異なる領域に位置するUEは、全てのコードブックではなく、構成されているコードブックのサブセットにのみ対して捜索を行うことができるため、UE端の複雑度を下げ、シグナリングオーバーヘッドを節約することができる。また、該方法は、垂直方向にダブルコードブックの構造を構成する場合にも同様に適用し、例えば、内部領域及び外部領域の広帯域W1コードブックのために、異なるコードブックのサブセットを構成することもできる。
【０１６３】
本実施例では、ビームの観点から、外部領域のために比較的疎なビームを構成することで、セル境界のUEのフィードバックロードを低減することができ、これは、コードブックのDownサンプリングにより実現することができる。即ち、表3に比べ、外部領域のコードブック順番号の間隔は2よりも大きい自然数であっても良い。
【０１６４】
また、外部領域のために、内部領域に比べてより広い又はより狭いビームを構成しても良く、これは、内部領域及び外部領域のために、異なるアンテナのポート数を構成することにより実現することができる。即ち、内部領域について、垂直方向の広帯域コードブックは公式（2）であり、外部領域のコードブックは、
【数２４】
0006264451.tif 000033
である。
【０１６５】
公式（15）では、M’は、外部領域のために構成したアンテナポートの個数であり、M’は、Mよりも大きくても良く、また、Mの整数倍であり；或いは、Mより小さくても良く、また、MがM’の整数倍であるようにさせても良い。
【０１６６】
本実施例では、該内部領域及び外部領域の分割は、基地局端で確定されても良く、例えば、基地局までの距離、仰角の範囲、又は、大スケールの関連パラメータ（例えば、パスロス、カップリングロス（coupling  loss）、受信パワー、ドップラースプレッド（Doppler  spread）、時間遅延スプレッド（delay  spread）、角度スプレッド等）のレベル等に従って確定されても良く、ここでは詳しい説明が省略される。
【実施例１４】
【０１６７】
図15は本発明の実施例14によるコードブック確定装置の構造を示す図。図15に示すように、コードブック確定装置1500は第一コードブック確定ユニット1501及び第二コードブック確定ユニット1502を含み、そのうち、
第一コードブック確定ユニット1501：システムのコードブックのセットを確定し；
第二コードブック確定ユニット1502：該システムのコードブックのセット及び該ユーザ装置の所在するセルの内部領域又は外部領域に基づいて、内部領域及び外部領域に対応するコードブックのサブセットを確定するように構成される。
【０１６８】
本実施例では、該外部領域のコードブックのサブセット及び内部領域のコードブックのサブセットは、重なり合っても良く、重なり合わなくても良く、また、システムのコードブックのセットのサブセットである。
【０１６９】
このようにして、異なる領域に位置するUEは、全てのコードブックではなく、構成されているコードブックのサブセットにのみ対して捜索を行うことができるため、UE端の複雑度を下げ、シグナリングオーバーヘッドを節約することができる。また、該方法は、垂直方向においてダブルコードブックの構造を構成する場合にも同様に適用し、例えば、内部領域及び外部領域の広帯域W1コードブックのために、異なるのコードブックのサブセットを構成することもできる。
【０１７０】
本実施例では、ビームの観点から、該外部領域のために、対応するビームを構成することができ、実施例12と同様であるため、ここでは詳しい説明が省略される。
【０１７１】
本実施例では、該コードブック確定装置は、ユーザ装置側で設置されても良く、基地局側で設置されても良い。また、該コードブック確定装置によりコードブックを確定することができる。
【０１７２】
よって、本実施例では、さらに、上述のコードブック確定装置を含むユーザ装置及び基地局を含んでも良く、それは、該コードブック確定装置を含んでも良く、さらに従来の基地局又はユーザ装置と共通する技術的特徴も含んでも良く、これは、上述の実施例と同様であるため、ここでは詳しい説明が省略される。
【０１７３】
本発明の実施例は更にコンピュータ可読プログラムを提供し、そのうち、ユーザ装置中で前記プログラムを実行する時に、前記プログラムは、コンピュータに、ユーザ装置中で実施例1、6、8、11に記載の情報フィードバック方法を実行させる。
【０１７４】
本発明の実施例は更にコンピュータ可読プログラムを記憶した記憶媒体を提供し、そのうち、前記コンピュータ可読プログラムは、コンピュータに、ユーザ装置中で実施例1、6、8、11に記載の情報フィードバック方法を実行させる。
【０１７５】
本発明の実施例は更にコンピュータ可読プログラムを提供し、そのうち、基地局中で前記プログラムを実行する時に、前記プログラムは、コンピュータに、基地局中で実施例2に記載の情報フィードバック方法を実行させる。
【０１７６】
本発明の実施例は更にコンピュータ可読プログラムを記憶した記憶媒体を提供し、そのうち、前記コンピュータ可読プログラムは、コンピュータに、基地局中で実施例2に記載の情報フィードバック方法を実行させる。
【０１７７】
本発明の実施例は更にコンピュータ可読プログラムを提供し、そのうち、コードブック確定装置中で前記プログラムを実行する時に、前記プログラムは、コンピュータに、コードブック確定装置中で実施例6、8、13に記載のコードブック確定方法を実行させる。
【０１７８】
本発明の実施例は更にコンピュータ可読プログラムを記憶した記憶媒体を提供し、そのうち、前記コンピュータ可読プログラムは、コンピュータに、コードブック確定装置中で実施例6、8、13に記載のコードブック確定方法を実行させる。
【０１７９】
本発明の以上の装置及び方法は、ソフトウェア又はハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０１８０】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
0006264451.tif 000034
【図２】
0006264451.tif 000035
【図３】
0006264451.tif 000036
【図４】
0006264451.tif 000037
【図５】
0006264451.tif 000038
【図６】
0006264451.tif 000039
【図７】
0006264451.tif 000040
【図８】
0006264451.tif 000041
【図９】
0006264451.tif 000042
【図１０】
0006264451.tif 000043
【図１１】
0006264451.tif 000044
【図１２】
0006264451.tif 000045
【図１３】
0006264451.tif 000046
【図１４】
0006264451.tif 000047
【図１５】
0006264451.tif 000048